(57)【要約】【課題】家屋内に供給する空気の相対湿度を効率的に調整することにより、夏季においては床下空間の環境を改善するとともに冷房費用を節減することができ、また冬季においては暖房費用を節減するとともに室内の過乾燥を防止することができる換気システムを提供する。【解決手段】家屋内に外気を導入する給気開口及び該給気開口に接続させた給気経路と、家屋内の各室内の空気を室外へ排出する排気開口及び該排気開口に接続させた排気経路とを備える高気密住宅の換気システムにおいて、前記給気経路としてまず床下空間に外気を導入し、該床下空間において前記排気経路との間で、水蒸気交換を行った後、該床下空間の空気を家屋内に循環させることを特徴とする調湿機能付換気システムなどによって提供。【選択図】        なし【特許請求の範囲】
【請求項１】
家屋内に外気を導入する給気経路と、家屋内の各室内の空気を室外へ排出する排気経路とを備える高気密断熱住宅の換気システムにおいて、  前記給気経路としてまず床下空間に外気を導入し、該床下空間において前記排気経路との間で、水蒸気交換を行った後、該床下空間の空気を家屋内に循環させることを特徴とする調湿機能付換気システム。
【請求項２】
前記床下空間における水蒸気交換が、前記排気経路に備えられた透湿性フィルムを通じて行われることを特徴とする請求項１に記載の調湿機能付換気システム。
【請求項３】
前記換気システムが、第３種換気方法によって行われることを特徴とする請求項１又は２に記載の調湿機能付換気システム。
【発明の詳細な説明】
【０００１】
【発明の属する技術分野】
本発明は、調湿機能付換気システムに関し、さらに詳しくは、家屋内に供給する空気の相対湿度を効率的に調整することにより、夏季においては床下空間の環境を改善するとともに冷房費用を節減することができ、また冬季においては暖房費用を節減するとともに室内の過乾燥を防止することができる換気システムに関する。
【０００２】
【従来の技術】
調湿機能付換気システムは、基礎断熱工法による高気密断熱住宅における換気システムに係わり、床下空間において家屋内に供給する空気の相対湿度を効率的に制御して、夏季において床下空間の除湿と室内冷房の費用低減に、また冬季においては室内の過乾燥の防止と暖房の費用節減に有効な手段である。
【０００３】
高気密工法と称される家屋の建築工法が、冷暖房の熱効率向上のために行われている。これらの家屋は、断熱構造を組込み、かつ家屋の内外の自然換気を極力抑えて、家屋内が気密状態となるようにしている。ここで、家屋の基礎部分も断熱構造とする基礎断熱工法による高気密断熱住宅では、一般に床下空間も気密化されている。
前記高気密断熱住宅では、内外壁の間の隙間が少ないために屋内への外気の進入による自然換気量が少なく、また家屋内の上下空間における温度差が小さいために家屋内での空気循環が少なく、これによって生じる外気の導入による自然換気量も少ないので、機械換気装置による強制換気システムが採用される。この強制換気システムの方法としては、各部屋で個別の換気装置によって換気する局所換気と、ダクトにて各室に給気及び／又は排気を行う集中換気装置を設けるセントラル換気とがある。前記セントラル換気には、給気と排気を同時に機械的に行う第１種換気方法、排気口を設け給気を機械的に行う第２種換気方法及び給気口を設け各室から排気を機械的に行う第３種換気方法がある。
【０００４】
第１種換気方法では、給気と排気を行うため第２種換気方法や第３種換気方法に比べて大きいファン駆動エネルギーを必要とする。通常、冷暖房設備を稼動させる期間は、給気と排気の間で顕熱交換又は顕熱と潜熱の両方を熱交換する全熱交換を行って冷暖房エネルギーの一部を回収することにより省エネルギー化を図っている。しかし、全熱交換の場合は、熱交換率は高いが熱の回収とともに排気中に含まれる臭い成分の一部が熱交換素子部において給気側に移動し給気中に臭いが循環することが問題視されている。第２種換気方法及び第３種換気方法では、給気又は排気のどちらか一方のファンの駆動エネルギーで足りるが、空調された室内空気はそのまま外部に排気される。
【０００５】
前記高気密断熱住宅の換気おいて、以下の問題が挙げられている。
（１）換気が潜在的に持つ熱量、即ち温度と湿度の有効利用がいまだ十分でない。夏季の高湿多湿の期間に、冷房空調設備によって冷却され除湿された空気を十分に利用せずに、室内から外部へ排気するのはエネルギーの浪費である。また、冬季には低温の外気をそのまま家屋内に取り入れ、家屋内で温度が高くなった空気をそのまま外部に排気するのもエネルギー損失が大きい。
（２）基礎断熱工法による高気密住宅の床下空間は、外気とは閉ざされた密閉空間となるために、温暖地域など夏季の外気の相対湿度が高いときは、外気より気温の低い床下空間の相対湿度は８０％以上となり、かびや腐敗菌が発生するための条件が整う場合がある。また、床下全面にコンクリートを打設する場合には、コンクリートが乾燥するまでの２年間程度はコンクリートからの水分蒸発で床下空間の相対湿度は外気よりも高くなる。
【０００６】
これらの問題点の解決策として、床下空間の空気を外部へ排気、外部より外気を床下空間に給気、又は床下空間に専用の除湿装置を設置して床下除湿を行う方法等の床下空間の環境対策が行われており、さらに省エネルギーを目的として床下空間を利用する換気システムの提案がなされている。これらの提案は、床下空間を利用することによって住宅環境の快適性向上あるいは冷暖房エネルギーの節減に貢献しているが、それぞれ課題がある。代表的なものとして、以下が挙げられる。
【０００７】
温度差を利用した無動力の強制排気が行え、かつ設備構成が簡単な換気システムとして、基礎断熱を施した寒冷地用の低層建物において、外気を床下空間に導入する給気経路を設ける。その導入された外気を、床下空間を経由して建物の室内に導き、小屋裏部の排気口から屋外に排気する換気経路を設ける。１階の天井裏空間を、２階の各部屋への換気経路として利用し、また給排水管用のパイプスペースを、床下空間と天井裏空間とを連通させる竪ダクトとして利用する（例えば、特許文献１参照）。
この換気システムは、寒冷地用の低層建物には有効であるが、温暖地では夏季に高温多湿の外気が常時床下空間に給気されるために、外気より温度が低い床下空間では相対湿度がさらに高くなり、床下空間の環境が悪化する問題がある。
【０００８】
床下空間の温度環境を室内とほぼ同一にして床面のコ−ルドドラフト感を抑えるとともに床下空間内の化学物質を排出できる換気システムとして、室外と連通する通気窓のない基礎断熱構造の床下空間上に、床部を介して形成される複数の室内と床下空間をそれぞれ連通する通気口と、吐出口を室外と連通し吸込口を換気チュ−ブを介して床下空間と連通した換気装置とを設ける（例えば、特許文献２参照）。
この換気システムは、床下空間の温度環境等は改善されるが、一般に外気の温度に大きく左右されずに夏季には涼しく冬季には温かいといわれる床下空間の特性を省エネルギーに十分に活用していない。
【０００９】
暖房装置によって暖められた室内空気を屋外に排出する際に、排気熱の熱損失を最小限に抑えつつ玄関ドアまわりの融雪を行うシステムとして、床下空間に外気を導入し、床下空間の空気を家屋内に循環させる一方、排気経路は、各室内の空気を床下空間において集約し、集約した排気を玄関ドアの外側近傍箇所において排出する（例えば、特許文献３参照）。
このシステムは、冬季は低い温度の外気を床下空間で熱交換して暖めた後室内に給気して、暖房エネルギーの節減に貢献し、かつ温かい排気を融雪に利用することができる第３種換気の方法による省エネルギーシステムである。
【００１０】
上記のように、地下熱により冬は温かく夏は涼しい床下空間を熱交換媒体として利用する第３種換気の方法によるシステム（以下、地下熱利用換気システムと呼称する場合がある。）では、冬季は室内への給気の温度を高く、夏季は低くすることによって冷暖房エネルギーの節減を図ることができる。しかしながら、温暖地で前記地下熱利用換気システムを採用すると、夏季及び冬季にそれぞれの問題が生じる。
【００１１】
夏季には高温多湿の外気が常時床下空間に給気されるが、床下空間は外気より温度が低いので相対湿度はさらに高くなり、そこで家屋内に相対湿度の高い空気が供給されるという問題がある。これは、室内空気を空調するために必要な消費エネルギーの内訳は、室温の低下に使う部分よりも除湿に使う部分が多いからである。また、このとき前記床下空間の環境は、かびや腐敗菌繁殖の適合環境へと悪化するという問題が生じる。
また冬季には、逆に外気の相対湿度が低くなるために床下空間の湿度も低くなる。そのまま室内に給気すると、室内での温度上昇にともない室内空気の相対湿度がさらに低くなる。このため室内空気は過乾燥状態となり、のどを痛めやすく、また風邪ウイルスが繁殖しやすく風邪をひき易くなる環境へと悪化するという問題が生じる。
以上の状況から、家屋内に供給する空気の温度のみならず相対湿度を効率的に調整して、住宅環境の快適性と省エネルギーを兼ね備えた換気システムが求められている。
【００１２】
【特許文献１】
特開平１０−３２５５７８号公報（第１頁、第２頁）
【特許文献２】
特開２０００−１８６６８号公報（第１頁、第２頁）
【特許文献３】
特開２０００−３０４３２８号公報（第１頁、第２頁）
【００１３】
【発明が解決しようとする課題】
本発明の目的は、上記の従来技術の問題点に鑑み、家屋内に供給する空気の相対湿度を効率的に調整することにより、夏季においては床下空間の環境を改善するとともに冷房費用を節減することができ、また冬季においては暖房費用を節減するとともに室内の過乾燥を防止することができる換気システムを提供することにある。
【００１４】
【課題を解決するための手段】
本発明者は、上記目的を達成するために、高気密断熱住宅の換気システムにおいて、家屋内に供給する空気の相対湿度を効率的に調整できる換気システムについて、鋭意研究を重ねた結果、給気経路としてまず床下空間に外気を導入し、該床下空間において家屋内の各室内の空気を屋外に排気する排気経路との間で、水蒸気交換を行った後、該床下空間の空気を家屋内に循環させたところ、床下空間の環境が改善されるとともに、室内に相対湿度の調整された空気を供給できることを見出し、本発明を完成した。
【００１５】
すなわち、本発明の第１の発明によれば、家屋内に外気を導入する給気経路と、家屋内の各室内の空気を室外へ排出する排気経路とを備える高気密断熱住宅の換気システムにおいて、前記給気経路としてまず床下空間に外気を導入し、該床下空間において前記排気経路との間で、水蒸気交換を行った後、該床下空間の空気を家屋内に循環させることを特徴とする調湿機能付換気システムが提供される。
【００１６】
また、本発明の第２の発明によれば、第１の発明において、前記床下空間における水蒸気交換が、前記排気経路に備えられた透湿性フィルムを通じて行われることを特徴とする調湿機能付換気システムが提供される。
【００１７】
また、本発明の第３の発明によれば、第１又は２の発明において、前記換気システムが、第３種換気方法によって行われることを特徴とする調湿機能付換気システム。
【００１８】
【発明の実施の形態】
以下、本発明の調湿機能付換気システムを詳細に説明する。
本発明の調湿機能付換気システムは、家屋内に外気を導入する給気経路と、家屋内の各室内の空気を室外へ排出する排気経路とを備える基礎断熱工法による高気密断熱住宅の換気システムであって、前記給気経路としてまず床下空間に外気を導入し、該床下空間において前記排気経路との間で、水蒸気交換を行った後、該床下空間の空気を家屋内に循環させることを含む。
本発明の調湿機能付換気システムでは、
（１）家屋内に循環させる空気を冬季には温め、夏季には冷やす手段として、給気経路として外気を家屋の床下空間に導入することと、
（２）冬季は暖房によって暖められ、また夏季は冷房によって冷やされかつ除湿された室内空気の排気経路を、床下空間を通過させることが重要である。これによって、熱交換により、床下空間の雰囲気温度を冬季は上昇させ、夏季は低下させるとともに、さらに、水蒸気交換を行うことによって床下空間の湿度を調整することができる。
【００１９】
本発明の調湿機能付換気システムの概要を、図１を用いて説明する。図１は、本発明の調湿機能付換気システムの一例である。図１に示すように、外気１を外気給気パイプ２を通じて床下空間３に導入し、床下空間の空気を室内への給気用開口４から家屋内に循環させる一方、各室内の空気を排気用開口５からダクト６を経由して床下空間にあるチャンバー７で集約し、これに継設された排気ファン８によって排気用パイプ９を通じて屋外に排気する。
ダクト６の材料に空気透過性が小さく、かつ水蒸気透過性が大きい特性を有する透湿性フィルムを用いることによって、床下空間３において床下空間の空気とダクト内の空気との水蒸気濃度差を駆動力として水蒸気の移動が行われる。
また、これと同時に熱交換も行われる。夏季においては、床下空間の高湿度空気とダクト内の低湿度空気との水蒸気濃度差により、床下空間の水蒸気がダクト内へ移動する。
【００２０】
本発明において、強制換気の方法は、特に限定されるものではなく、上記セントラル換気の第１から第３種換気方法のいずれかの方法が用いられるが、これらの中でも、特に自然通風に近いゆるやかな換気状態で熱交換及び水蒸気交換が行える第３種換気方法が好ましい。したがって、本発明の排気経路は、家屋内の各室内からの排気のチャンバーと排気ファンを有することが好ましい。また、前記チャンバーーと排気ファンの設置場所は、特に限定されるものではなく、各室内からの排気経路のうち床下空間部分若しくは屋外が選ばれるが、特に両者を床下空間に収納するのが熱交換効率及び騒音対策上効果的である。
【００２１】
本発明において、前記床下空間における水蒸気交換の方法は、特に限定されるものではなく、前記排気経路において水蒸気交換機能を有する部位を付与することで行われるが、特に簡便な手段として、前記排気経路に空気透過性が小さく、かつ水蒸気透過性が大きい特性を有する透湿性フィルムを備えてこれを通じて行われることが好ましい。
従来、地下熱利用換気システムでは、前記排気経路として、アルミニウムや鋼鉄製を使用し、フレキシブルダクトを使用する場合はアルミニウム薄膜やプラスチックフィルム等を用いたダクトが使用されていた。したがって、このシステムに本発明を適用する場合は、前記フレキシブルダクトの一部に透湿機能を付与されたいわゆる透湿性フィルムを用いることが重要である。
【００２２】
本発明に用いる透湿性フィルムの透湿機能の付与方法は、特に限定されるものではなく、フィルムに透湿機能官能基を付与する方法及びフィルムに微細孔を形成させる方法が用いられ、さらに微細孔形成方法としては、不織布化する方法、結晶性プラスチックスフィルムを延伸して非結晶構造を破断する方法又はフィルムから微細孔形成材を抽出除去する方法などが用いられる。
上記透湿性フィルムの材質としては、特に限定されるものではなく、ポリエチレン、ポリプロピレン、ポリブテン等のポリオレフィン系プラスチックス、ポリスチレン等の芳香族系プラスチックス、ポリ塩化ビニール系プラスチックス、ポリエステル系プラスチックス、ポリビニールアルコール等の親水性プラスチックス又はこれらの混合系から選ばれる少なくとも１種が用いられる。
【００２３】
上記透湿性フィルムの厚さは、特に限定されるものではなく、フィルムの材質等によって異なるが、ダクトとしての整形が可能な機械的強度を有する厚さにして用いられる。
上記透湿性フィルムの透湿性能としては、特に限定されるものではなく、ＪＩＳＡ６１１１の評価方法による水蒸気透過抵抗が、０．３ｍ２・ｓ・Ｐａ／μｇ以下のものが用いられ、好ましくは０．２ｍ２・ｓ・Ｐａ／μｇ以下、さらに好ましくは０．１ｍ２・ｓ・Ｐａ／μｇ以下である。水蒸気透過抵抗が０．３ｍ２・ｓ・Ｐａ／μｇを超えると、上記透湿性フィルムの面積が大きくならないと水蒸気の交換が十分に起らない。
上記透湿性フィルムの空気透過性能としては、特に限定されるものではなく、ＪＩＳ  Ｐ８１１７による評価方法による通気性が５秒以上であるものが用いられ、該通気性が１０秒以上が好ましい。前記通気性が５秒未満では、空気の透過が大きく室内の換気が低下する。
上記透湿性フィルムの面積は、特に限定されるものではなく、該透湿性フィルムの透湿性能と床下空間の除湿能力に応じて設計する。
【００２４】
また、本発明において、上記の透湿性を有するフレキシブルダクトを別途製作し、設計に準じてこれを用いるのが効率的である。
前記フレキシブルダクトの製作方法は、特に限定されるものではないが、一例を挙げれば、ポリエチレン製不織布を幅４５ｍｍのテープ状に切断後、螺旋状に巻きながら直径１００ｍｍのパイプ状とすることで製作できる。その際、テープの端部から５ｍｍ幅を重ねながら、重ね部を熱溶着によって接合してパイプ状とする。
また、ダクトの機械的強度を高めるために、前記熱溶着部の外部に、幅５ｍｍ、高さ５ｍｍのポリエチレン製のリブを同時に熱溶着によって設ける。これによって、直径１００ｍｍのパイプ状のフレキシブルダクトが得られる。この際、例えば上記評価方法で水蒸気透過抵抗が０．１０ｍ２・ｓ・Ｐａ／μｇ、通気性が厚み０．１７ｍｍで１０秒であるポリエチレン製不織布を用いるのが好ましい。
【００２５】
さらに、第１種機械換気法の場合は実用上、排気と給気のそれぞれ全量を同じ熱交換素子で行うために、トイレなどの悪臭成分の一部が給気室内に循環する欠点があった。しかし、本発明の換気システムにおいては、トイレなどのように悪臭が発生する場所からの排気に使用するダクトに、従来使用されているアルミ製並びにプラスチック製フィルムのものを使用することによって、悪臭を伴う空気を直接外部へ排出することができる。
【００２６】
以上、本発明の調湿機能付換気システムは、家屋内に供給する空気の相対湿度を効率的に調整できる。
夏季において、高温多湿のため床下空間の空気は相対湿度即ち水蒸気濃度が高い。一方室内は冷房空調設備の運転によって温度が下げられるとともに、必然的に起こる除湿機能によって相対湿度即ち室内空気中の水蒸気濃度は低くなる。したがって、本発明の換気システムにおいては、上記透湿性フィルムを介して床下空間の相対湿度の高い空気と室内から排出される相対湿度の低い空気とが接することになる。ここで、両者の水蒸気濃度差によって、上記透湿性フィルムを通じて床下空間の空気側から外部へ排出する空気側に水蒸気が透過する。これによって、床下空間の水蒸気濃度即ち相対湿度を低下させることができる。この除湿された空気が家屋内に給気され家屋内を循環されるので、冷房空調エネルギーの大部分を占める除湿のための負荷が少なくなり、冷房運転のための消費エネルギーが大幅に低減される。
【００２７】
冬季においては、外部から床下空間へ導入される空気は低温で低湿である。一方、室内は暖房による温度の上昇とともに、炊事、浴室及びその他の日常活動によって排出される水蒸気によって室内湿度も高くなる。本発明の換気システムにおいては、上記透湿性フィルムを通じて床下空間に導入される低温で低湿の空気と室内からのより高温で高湿の空気との間で熱交換とともに水蒸気交換も起こる。これによって床下空間の空気は暖められるとともに湿度も高められる。
したがって家屋内に給気される空気の温度及び湿度が高くなるので、省エネルギー暖房システムとして冬季の暖房費の大幅な低減となるともに室内の過乾燥を防止することができる。
【００２８】
【実施例】
以下に、本発明の実施例及び比較例によって本発明をさらに詳細に説明するが、本発明はこれらの実施例及び比較例によってなんら限定されるものではない。
（実施例１）
２階建て建坪４０坪の住宅に本発明の換気システムを適用した。前記住宅の気密度は、ＪＩＳ  Ａ２２０１の方法により、相当隙間面積が１．２平方センチメートル／平方メートルであった。ここで、室内からの空気の排気経路としては、家屋内のトイレ以外の８つの室の床に設置した排気口から、それぞれポリエチレン製不織布からなる直径１００ｍｍのフレキシブルダクトを床下空間に導き、８つのダクトを床下空間に設置したチャンバーにて集約し、継設する排風機によって外部に排出するものとした。
【００２９】
外部空気は、前記住宅の北側の基礎部から給気口を通して床下空間に導入し、家屋内の南東に位置する床下空間から室内に給気した。排風機による外部への排気は南東の基礎部から排気口を通して行った。床下空間に配設された８本のダクトは平均長が５ｍであった。
上記の換気システムで、排風機の風量を２４０立方メートル／時間に設定して運転した。基礎部の給気口から床下への空気導入量は１００立方メートル／時間であった。屋外の気温が３３℃で相対湿度は５７％で、床下空間が２５℃で相対湿度８８．１％であるとき、冷房空調設備を運転し屋内の冷房を行った場合、２時間後の室温は２５℃で相対湿度は５５．１％になった。このときの床下空間の温度は２５℃で、相対湿度は７２％であった。これより、床下空間の相対湿度が著しく低下し、かび及び腐敗菌の繁殖に対し、大幅な改善ができることが分かる。また床下空間からは相対湿度の低い空気を家屋内に給気することができた。
【００３０】
（実施例２）
図１に示す本発明の調湿機能付換気システムを基礎断熱工法による高気密家屋に適用した。図１に示すように、外気１を外気給気パイプ２を通じて床下空間３に導入し、床下空間の空気を室内への給気用開口４から家屋内に循環させる一方、各室内の空気を排気用開口５からダクト６を経由して床下空間にあるチャンバーー７で集約し、これに継設された排気ファン８によって排気用パイプ９を通じて屋外に排気する。
前記家屋は、断熱構造を組込み、かつ家屋の内外の自然換気を極力抑えて、床下空間を含む家屋内が気密状態となるようにしてあるが、各室は室外廊下等とは開口部で十分な通気が確保できるために各階に１台の冷暖房空調設備が備えられている。
【００３１】
前記外気給気パイプ２は、花粉除去用の孔径５μｍ、面積８ｍ２のフィルターを通じて床下基礎部分に設けられている。形状、大きさは、自由であるが、例えばパイプ径は直径１５０ｍｍである。室内への給気用開口４は、１階の床面に開口されている。形状、大きさは、自由であるが、例えば直径２００ｍｍの円形である。
各室内の排気用開口５は、各室内の床面に設けられている。各ダクト６は、排気用開口と床下空間に設置したチャンバーー７との間に設けられている。除湿能力の設計値から、床下空間部分のダクトは、直径１００ｍｍで、総延長５０ｍとした。前記ダクトの外装材の透湿性能は透湿抵抗が０．１ｍ２・ｓ・Ｐａ／μｇの孔形成剤抽出法で作成した多孔性ポリ塩化ビニール製の透湿性フィルムを用いている。前記ダクトの床下空間部分の面積は、１５．７ｍ２である。
水蒸気交換及び熱交換後の空気は、チャンバーー７を経由して継設された排気ファン８によって排気用パイプ９を通じて屋外に排気する。排気ファン８は、この家屋全体の換気用ファンである。排気用パイプ９は、床下基礎部分に設けられている。形状、大きさは、自由であるが、例えばパイプ径は直径１５０ｍｍである。排気ファン９からの排気量は２００ｍ３／時間、外気給気パイプ２よりの給気量は１００ｍ３／時間であった。
上記の調湿機能付換気システムの夏季の条件下の場合、外気の気温３３℃、相対湿度５５．１％において室温２７℃、相対湿度５０％で床下空間の気温２５℃、相対湿度７５％で連続運転が行われた。冷房設備の運転の電力量は１２％軽減された。
【００３２】
（比較例１）
ポリエチレン製不織布にかえて全てアルミ箔製のダクトを用いる以外は実施例１と同様に行った。このときの床下空間の温度は２５℃で相対湿度は９０％のままであった。床下空間はかび及び腐敗菌に繁殖適合条件であることが分かる。
【００３３】
（比較例２）
多孔性ポリ塩化ビニール製の透湿フィルムにかえて全てアルミ箔製のダクトを用いる以外は実施例２と同様に行った。このときの床下空間の温度は２５℃で相対湿度は８８％のままであった。床下空間はかび及び腐敗菌に繁殖適合条件に近いことが分かる。
【００３４】
【発明の効果】
以上説明したように、本発明の調湿機能付換気システムは、家屋内に供給する空気の相対湿度を効率的に調整できるため、夏季においては床下空間の環境を改善するとともに冷房費用を節減することができ、また冬季においては暖房費用の節減と室内の過乾燥を防止することができるものであり、その省エネルギー効果は極めて大きい。
【図面の簡単な説明】
【図１】本発明の調湿機能付換気システムの一例を示す図である。
【符号の説明】
１    外気
２    外気給気パイプ
３    床下空間
４    給気用開口
５    排気用開口
６    ダクト
７    チャンバーー
８    排気ファン
９    排気用パイプ
【図１】
2004263971.tif 000002